(57)【要約】  個々の使用者の異なる懸念を処置するために皮膚の複数の標的化領域にスキンケアトリートメントを送達するための、個別化スキンケア有効成分及びカスタマイズ化イオントフォレシスマイクロカレント域の両方を有する美容顔用トリートメント送達シートが提供される。シートは、溶解性又は非溶解性の第１の基材上に皮膚有効成分をプリントし、続いて第２の基材上の異なる位置にて電源と共にマイクロカレント発生器をプリントすることにより作製される。第１の基材及び第２の基材が合わさって送達シートを形成する。マイクロカレント発生器は、イオントフォレシスにより有効成分の送達を促進するか、又は皮膚へのマイクロカレントの送達により直接トリートメントに影響する。【選択図】なし【特許請求の範囲】
【請求項１】
使用者の皮膚の所定の処置領域中の少なくとも第１の皮膚状態及び第２の皮膚状態の標的化及び個別化された皮膚処置のための美容トリートメント送達シートであって、以下の構成要素：
使用者の皮膚の所定の処置領域に合うように配置及び構成された第１のシート基材であって、第１のシート基材上には、第１の皮膚状態を処置するための第１の皮膚有効成分をインプリントされた第１の隔離された個別領域、及び第２の皮膚状態を処置するための第２の皮膚有効成分をインプリントされた第２の隔離された個別領域が少なくとも規定されており、第１の隔離された個別領域は、使用者の皮膚の所定の処置領域中の第１の皮膚状態の第１の個別配置に対応する第１の位置にて第１のシート基材上にインプリントされ、第２の隔離された個別領域は、使用者の皮膚の所定の処置領域中の第２の皮膚状態の第２の個別配置に対応する第２の位置にて、第１のシート基材上にインプリントされる、上記第１のシート基材；
第１のシート基材に対応した形状及び配置の第２のシート基材であって、第１のシート基材は第２のシート基材に固定されている、上記第２のシート基材；及び
第２のシート基材に固定されたマイクロカレント発生器であって、正極及び負極に接続された電源を含み、該正極及び負極は、第１の皮膚有効成分及び第２の皮膚有効成分のうちの少なくとも１種の送達を促進するのに十分な量で所定の処置領域中で使用者の皮膚にマイクロカレントを送達するように、第２のシート基材上に配置され、マイクロカレントが、第１のシート基材の第１の隔離された個別領域又は第２の隔離された個別領域の少なくとも一方を介して送達される、上記マイクロカレント発生器
を備えた、上記美容トリートメント送達シート。
【請求項２】
第１の隔離された個別領域及び第２の隔離された個別領域のうちの少なくとも一方が、皮膚分析システムにより作成される皮膚プロファイルに従ってインプリントされる、請求項１に記載の美容トリートメント送達シート。
【請求項３】
正極及び負極のうちの少なくとも一方が、第１のシート基材及び第２のシート基材が所定の処置領域に貼られる際に少なくとも一方の電極が使用者の皮膚に直接接触するように第２のシート基材上に配置される、請求項１に記載の美容トリートメント送達シート。
【請求項４】
正極及び負極のうちの少なくとも一方並びに皮膚有効成分のうちの対応する１種と接触して第１のシート基材及び第２のシート基材の一方の上に設けられる生体適合性塩の層をさらに備え、該塩が、電気的移動、電気的浸透及び電気的輸送のうちの１種により、皮膚への皮膚有効成分のうちの該対応する１種の輸送を促進する、請求項１に記載の美容トリートメント送達シート。
【請求項５】
第１のシート基材、第１の皮膚有効成分及び第２の皮膚有効成分のうちの少なくとも１つが水溶性である、請求項３に記載の美容トリートメント送達シート。
【請求項６】
第１の皮膚有効成分及び第２の皮膚有効成分のうちの少なくとも１種が、（１）抗しわ成分又は肌引き締め成分；（２）アンチエイジング成分；（３）保湿成分；（４）皮膚美白成分又は色素脱失成分；（５）抗炎症成分；（６）抗にきび成分；（７）ＤＮＡ修復成分；（８）皮膚の脂質バリア修復成分；（９）抗セルライト成分；（１０）創傷治癒成分；（１１）ストレッチマーク（stretch mark）／傷跡（scar）消去成分；（１２）ふっくら成分（plumping agent）；（１３）むだ毛成長遅延成分（hair growth retardation agent）；（１３）育毛刺激成分；（１４）クマ減少成分（dark cycle reduction agent）又は浮腫解消成分（de-puffing agent）；（１５）コラーゲン合成又は血流促進成分；（１６）抗酸化成分；（１７）皮脂コントロール成分；及び（１８）毛穴収縮成分からなる群より選択される、請求項１に記載の美容トリートメント送達シート。
【請求項７】
第１の隔離された個別領域及び第２の隔離された個別領域のうちの少なくとも一方が２種類以上の異なる皮膚有効成分を含有し、かつ、該異なる皮膚有効成分が、互いに混ざり合うことなく、分離した液滴として第１のシート基材の上にインプリントされる、請求項１に記載の美容トリートメント送達シート。
【請求項８】
マイクロカレント発生器がマイクロプロセッサをさらに含む、請求項１に記載の美容トリートメント送達シート。
【請求項９】
マイクロプロセッサが、電流密度プロファイル及びタイミングのうちの少なくとも一方を選択的に制御するためにプログラム可能である、請求項８に記載の美容トリートメント送達シート。
【請求項１０】
電源が、マイクロカレント発生器からのマイクロカレントの流れを引き起こすように構成された、酸化剤、還元剤及び塩含有ヒドロゲルを含み、該酸化剤及び該還元剤は第２のシート基材上にインプリントされ、かつ該ヒドロゲルはマイクロカレント発生器からのマイクロカレントの流れを引き起こすために該酸化剤及び該還元剤に接触するように構成される、請求項１に記載の美容トリートメント送達シート。
【発明の詳細な説明】
【技術分野】
【０００１】
本発明は、１種類以上のトリートメントを使用者の皮膚に対して標的化及び個別化送達するための、皮膚の複数の標的領域にそのスキンケアトリートメントを送達するための使い捨てシート形の美容トリートメント送達シートに関する。本発明は、詳細には、使用者の顔の皮膚の領域にスキンケアトリートメントをかかる使用者特有の皮膚プロファイルに基づいて標的化送達すること、及び、イオントフォレシスにより使用者の皮膚の標的領域に貼ってそこを処置するための、マイクロカレント発生デバイスを組み込んだ美容トリートメント送達シートマスクに関する。
【背景技術】
【０００２】
さまざまな美容用のパッチ又はデバイスが、皮膚トリートメントの送達に有用なものとして市販され、あるいはそう評されている。顔、首、及び体の他の部分の皮膚に貼るために、綿不織布、伸縮性素材、熱可塑性樹脂、粘着性ゲルなどのさまざまな物質から成る、さまざまな美容用製剤又は皮膚用製剤をしみ込ませた美容シートを使用することが知られている。また、マイクロカレント発生パッチ又はマスクを使用することが知られている。しかし現在、顔用シートマスク及びパッチは、典型的には、マスクを顔全体に貼るかあるいは目の下などの特定の領域のみを処置するためにパッチをその場所にのみ貼ることにより、1種の皮膚状態のみを処置するものである。しかし、これらの製品は、不都合である。なぜなら、例えば、１種類以上の皮膚有効成分を用いて１つ又は複数の特定の領域を標的にするものではなく、１種類のトリートメントを用いて１つの局所を処置するのみであった。たいていの消費者は、自身の顔の別々の領域に皮膚に関する異なる悩みを抱えている。例えば、多くの消費者は混合肌であり、Ｔゾーン領域（額、鼻、及び顎）は油っぽいが、顔の他の部分は乾燥している。別の例では、額、目、及び口の領域にシワ及び小ジワがあり、頬の領域の皮膚が乾燥又はかさついており、他の領域にシミがある消費者がいる場合がある。各領域は、異なる悩みに対処するために異なる処置用製品が必要であろう。従来の製品は、典型的には、標的領域のみでなく、顔全体の皮膚を処置することにより、一度に一つの悩みに対処できるのみである。
【発明の概要】
【発明が解決しようとする課題】
【０００３】
したがって、マイクロカレントを用いて複数のトリートメントを使用者の皮膚のさまざまな標的領域に送達し、使用者の顔面の様々な領域の異なる皮膚状態に対処し得る美容トリートメント送達シートマスク又はパッチが必要とされている。
【課題を解決するための手段】
【０００４】
マイクロカレント発生器を組み込んだ美容トリートメント送達シートは、使用者の皮膚の所定の処置領域における少なくとも第１の皮膚状態及び第２の皮膚状態のイオントフォレシスによる標的化・個別化皮膚処置のために提供される。送達シートは、使用者の皮膚の所定の処置領域に合うように配置及び構成されたシート基材を有する。
【０００５】
基材上には、第１の皮膚状態を処置するための第１の皮膚有効成分をインプリントされた少なくとも第１の隔離された個別領域が規定されている。第１の位置における基材上にインプリントされた第１の隔離された個別領域は、使用者の皮膚の所定の処置領域中の第１の皮膚状態の第１の個別配置に対応する。シートはまた、第２の皮膚状態を処置するための第２の皮膚有効成分をインプリントされた第２の隔離された個別領域を有する。第２の隔離された個別領域は、使用者の皮膚の所定の処置領域中の第２の皮膚状態の第２の個別配置に対応する第２の位置にて、基材上にインプリントされる。基材、第１の皮膚有効成分又は第２の皮膚有効成分は水溶性であり得る。少なくとも１個のマイクロカレント発生器がシート基材に固定される。マイクロカレント発生器は、正極及び負極に接続された電源を含む。正極及び負極は、第１の皮膚有効成分及び第２の皮膚有効成分の少なくとも１種の送達を促進するのに十分な量で、所定の処置領域中で使用者の皮膚に電源からマイクロカレントを送達するように、基材上に配置される。
【０００６】
皮膚有効成分は、以下からなる群より選択される：（１）抗しわ成分又は肌引き締め成分；（２）アンチエイジング成分；（３）保湿成分；（４）皮膚美白成分又は色素脱失成分；（５）抗炎症成分；（６）抗にきび成分；（７）ＤＮＡ修復成分；（８）皮膚の脂質バリア修復成分；（９）抗セルライト成分；（１０）創傷治癒成分；（１１）ストレッチマーク（stretch mark）／傷跡（scar）消去成分；（１２）ふっくら成分（plumping agent）；（１３）むだ毛成長遅延成分（hair growth retardation agent）；（１３）育毛刺激成分；（１４）クマ減少成分（dark cycle reduction agent）又は浮腫解消成分（de-puffing agent）；（１５）コラーゲン合成又は血流促進成分；（１６）抗酸化成分；（１７）皮脂コントロール成分；及び（１８）毛穴収縮成分。
【０００７】
本発明のさらなる実施形態において、マイクロカレント発生器は、皮膚状態を処置するために十分なマイクロカレント（すなわち皮膚有効成分と共に又はそれなしで）をもたらす。
【０００８】
本発明に係る美容シート（マスク又はパッチを含む）は、１以上のマイクロカレント発生器が設けられた個別領域を備える。マイクロカレント発生器は、１以上の薄膜型バッテリ又は電源を装備したシート又はマスク又はパッチの形態である。マイクロカレント発生器は、例えば電流密度プロファイル又はタイミング制御などの、機能のさらなる制御のためのマイクロプロセッサを含んでもよい。電源又はバッテリに加えて、各マイクロカレント発生器は、マイクロカレントを皮膚に供給する２つの電極を含む。マイクロカレントは、荷電又は中性皮膚有効成分の皮膚への電気的移動、電気的浸透及び電気的輸送を示すために生体適合性塩を含む媒体（medium）又はビヒクル（vehicle）を介して皮膚に供給され得る。本発明に係る各シート、マスク又はパッチは、それぞれ異なる皮膚状態を処置するために構成された、シート、マスク又はパッチ上の複数の隔離された個別領域を備えることにより、所定の処置領域の複数の異なる皮膚状態を処置する。複数の隔離された個別領域は、例えばイオントフォレシス処置のために異なるマイクロカレント出力をそれぞれもたらすようにプログラミングすることにより、異なる状態を処置するために異なる領域におけるマイクロカレント発生器を備えることによって、異なる皮膚状態を処置するように構成される。あるいは、シート、マスク又はパッチは、１のマイクロカレント出力レベル（１個以上のマイクロカレント発生器により）で全体に提供されるが、複数の隔離された個別領域中の異なる皮膚有効成分を備えることにより異なる皮膚状態を処置する（各皮膚有効成分が異なる皮膚状態を処置することができる）ように構成されうる。マイクロカレント発生器及び皮膚有効成分は、各領域において異なっていても又は同じであってもよい。
【０００９】
米国特許第８，４２５，４７７号、同第８，３５８，３４８号及び同第８４９１９２６号（その全体が参照により本明細書中にそれぞれ組み入れられる）に記載されるものなどの皮膚分析システムにより作成される皮膚プロファイルに従って、マイクロカレント発生器及び／又は皮膚有効成分を送達シートに提供することができる。
【００１０】
したがって、このような美容シート、マスク又はパッチを皮膚に合わせて貼ると、シート、マスク又はパッチが、皮膚を化学的に処置するために所定用量の異なるスキンケア配合物を皮膚に正確に送達したり、又は皮膚をイオントフォレシスにより電気的に処置するために所定用量のマイクロカレントを皮膚に正確に送達し、いずれの場合でもさまざまな皮膚状態を処置したり、皮膚に対してさまざまな効果を提供したりすることができる。より好ましくは、本発明の美容シート、マスク又はパッチは、使用者の皮膚の所定の処置領域の画像を取得し、かかるデータを分析し、使用者の皮膚の所定の処置領域の状態を示す皮膚プロファイルを作成するための画像形成及び分析システムと組み合わせた場合に、使用者固有の皮膚プロファイルに従って、個々の使用者用に特にカスタマイズされたものとすることができる。さらに、プリント装置は、１つ又は複数の美容送達シート(cosmetic delivery sheets)、マスク又はパッチをプリントするためのシステムに通信接続され、ここでシート、マスク又はパッチのそれぞれが、使用者の皮膚の所定の処置領域に合うように配置及び構成され、そのそれぞれが、複数の隔離された個別領域を有する基材を備え、隔離された個別領域のうちの少なくとも２つの領域には、画像形成及び分析システムによって作成された皮膚プロファイルに従って、所定の処置領域の異なる皮膚状態を化学的又は電気的に処置するために異なる皮膚有効成分がインプリントされるか又は異なるマイクロカレント発生器が提供若しくはインプリントされる。
【００１１】
本発明はまた、使用者の皮膚の所定の処置領域に合うように配置及び構成された美容送達シートに関する。このような美容送達シートは、複数の隔離された個別領域を有する基材及びマイクロカレント発生器を備え、隔離された個別領域のうちの少なくとも２つの領域には、所定の処置領域の異なる皮膚状態を処置するための異なる皮膚有効成分がインプリントされる。
【００１２】
本発明はさらに別の態様において、複数の皮膚有効成分を使用者の皮膚に対して標的化及び個別化送達するための方法に関し、少なくとも、（ａ）使用者の皮膚の所定の処置領域の画像を取得する工程と、（ｂ）取得された画像データを分析する工程と、（ｃ）使用者の皮膚の所定の処置領域の状態を示す皮膚プロファイルを作成する工程と、（ｄ）作成された皮膚プロファイルに基づいて、マイクロカレント発生器を含む１つ又は複数の美容送達シート上に、電極を配置する及び／又は皮膚処置活性剤をプリントする工程を含み、美容送達シートが、使用者の皮膚の所定の処置領域に合うように配置及び構成され、美容送達シートのそれぞれが、複数の隔離された個別領域を有する基材及びマイクロカレント発生器を備え、隔離された個別領域のうちの少なくとも２つの領域には、所定の処置領域の異なる皮膚状態を処置するための異なる皮膚有効成分がインプリントされる。
【００１３】
本発明の他の態様及び目的は、以下の説明、実施例、及び特許請求の範囲からより明らかになるであろう。
【図面の簡単な説明】
【００１４】
【図１】異なる皮膚有効成分を含有する複数の隔離された個別領域を含むフェイシャルマスクとしての、第１の基材を有する美容トリートメント送達シートの模式図であって、マイクロカレント発生器の模式的配置を示す図である。
【図２】異なる皮膚有効成分を含有する複数の隔離された個別領域を含むフェイシャルマスクとしての、第１及び第２の基材を有する美容トリートメント送達シートの分解模式図であって、マイクロカレント発生器の模式的配置を示す図である。
【図３】異なる皮膚有効成分を含有する複数の隔離された個別領域を含むＴゾーン用パッチとしての、第１及び第２の基材を有する美容トリートメント送達シートの分解模式図であって、マイクロカレント発生器の模式的配置を示す図である。
【図４】異なる皮膚有効成分を含有する複数の隔離された個別領域を含むＴゾーン用パッチとしての、第１及び第２の基材を有する図３の美容トリートメント送達シートの組立模式図であって、マイクロカレント発生器の模式的配置を示す図である。
【図５】異なる皮膚有効成分を含有する複数の隔離された個別領域を含むパッチ（目尻のしわ（crows foot）の領域及び目の下の領域用）としての、第１及び第２の基材を有する美容トリートメント送達シートの分解模式図であって、マイクロカレント発生器の模式的配置を示す図である。
【図６】異なる皮膚有効成分を含有する複数の隔離された個別領域を含むパッチ（目尻のしわの領域及び目の下の領域用）としての、第１及び第２の基材を有する図５の美容トリートメント送達シートの組立模式図であって、マイクロカレント発生器の模式的配置を示す図である。
【図７】異なる皮膚有効成分を含有する複数の隔離された個別領域、並びに、酸化還元系、すなわち、塩を含有するヒドロゲルにより組み合わせられた複数の酸化剤及び対応する還元剤、として提供される複数のマイクロカレント発生器を含むフェイシャルマスクとしての、第１及び第２の基材を有する美容トリートメント送達シートの分解模式図である。
【図８】異なる皮膚有効成分を含有する複数の隔離された個別領域を含むＴゾーン用パッチ（額及び鼻用）としての、第１及び第２の基材を有する美容トリートメント送達シートの分解模式図であって、酸化還元系、すなわち、塩を含有するヒドロゲルにより組み合わせられた複数の酸化剤及び対応する還元剤、として提供される複数のマイクロカレント発生器の模式的配置を示す図である。
【図９】異なる皮膚有効成分を含有する複数の隔離された個別領域を含むＴゾーン用パッチ（額及び鼻用）としての、第１及び第２の基材を有する図８の美容トリートメント送達シートの組立模式図であって、酸化還元系、すなわち、塩を含有するヒドロゲルにより組み合わせられた複数の酸化剤及び対応する還元剤、として提供される複数のマイクロカレント発生器の模式的配置を示す図である。
【図１０】異なる皮膚有効成分を含有する複数の隔離された個別領域を含むパッチ（目尻のしわの領域及び目の下の領域用）としての、第１及び第２の基材を有する美容トリートメント送達シートの分解模式図であって、酸化還元系、すなわち、塩を含有するヒドロゲルにより組み合わせられた複数の酸化剤及び対応する還元剤、として提供される複数のマイクロカレント発生器の模式的配置を示す図である。
【図１１】異なる皮膚有効成分を含有する複数の隔離された個別領域を含むパッチ（目尻のしわの領域及び目の下の領域用）としての、第１及び第２の基材を有する図１０の美容トリートメント送達シートの組立模式図であって、酸化還元系、すなわち、塩を含有するヒドロゲルにより組み合わせられた複数の酸化剤及び対応する還元剤、として提供される複数のマイクロカレント発生器の模式的配置を示す図である。
【発明を実施するための形態】
【００１５】
図１を参照すると、参照番号１として全体が示されている美容トリートメント送達シートの第１の実施形態が、使用者の皮膚の所定の処置領域での少なくとも第１の皮膚状態及び第２の皮膚状態の標的化及び個別化された皮膚処置に関して提供されている。シートは、使用者の皮膚の所定の処置領域に合うように配置及び構成された第１のシート基材２を有する。図１に示される通り、基材２は、目、鼻及び口用の開口部を有する全顔フェイシャルマスクとしてつくられている。基材上には、第１の皮膚状態を処置するための第１の皮膚有効成分３２をインプリントされた少なくとも第１の隔離された個別領域４が規定されている。第１の隔離された個別領域４は、使用者の皮膚の所定の処置領域中の第１の皮膚状態の第１の個別配置に対応する第１の位置にて、基材上にインプリントされる。例えば、図１の第１領域４は、目に隣接する目尻のしわの領域に対応する。第２の隔離された個別領域６が、基材４上に提供されている。第２の隔離された個別領域６は、第２の皮膚状態を処置するための第２の皮膚有効成分３４をインプリントされる。第２の隔離された個別領域６は、使用者の皮膚の所定の処置領域中の第２の皮膚状態の第２の個別配置に対応する第２の位置にて、基材上にインプリントされる。例えば、図１の第２の位置は、「Ｔゾーン」（目の上及び目の間の領域）の額部分に対応する。図１に示される隔離された個別領域の追加の例としては、限定するものではないが、Ｔゾーンの鼻部分７、目の下の領域８、「しわ」（frown-line）領域１０及び顎先領域１２が挙げられる。追加の第３、第４及び第５の皮膚有効成分は、それぞれ、目の下の領域、顎先領域及びしわ領域中の参照番号３６、３８及び４０にて模式的に示される。第１のシート基材は、一般的には、使用者の皮膚上の適切な処置領域に対して皮膚有効成分を送達するための担体である。
【００１６】
少なくとも１個のマイクロカレント発生器１４が、シート基材２に固定される。図示される通り、１個のマイクロカレント発生器が基材２上に提供されているが、マイクロカレント発生器の個数は、必要に応じて変わり得る。例えば、図２に示される通り、複数のマイクロカレント発生器を、美容送達シート１に提供することができる。各マイクロカレント発生器は、正回路レグ２２により正極１８に接続され、かつ負回路レグ２４により負極２０に接続される電源１６を有する。正極１８及び負極２０は、所定の処置領域中で使用者の皮膚にマイクロカレントを送達するように、基材２上に配置される。正極１８及び負極２０からのマイクロカレント送達のおおよその領域が、それぞれ、円（bubble）２６及び２８により模式的に図示される。矢印３０は、送達シートが活性化された後に生じるであろう正極１８と負極２０との間の一定量のマイクロカレントのおおよその流れを示す。各マイクロカレント発生器１４は、イオントフォレシスにより皮膚有効成分３２、３４、３６、３８、４０のうちの少なくとも１種の送達を促進するのに十分な量のマイクロカレントを皮膚に送達するように構成されている。図１に示される通り、マイクロカレント発生器は、顎先領域１２での皮膚有効成分３８の送達を促進するように作られているが、１個又は複数の隔離された個別領域、例えば、４、６、７、８、１２又は１０それぞれでの他の皮膚有効成分３２、３４、３６、３８、４０等の送達を促進するために、いずれかの隔離された個別領域中で、１個以上のマイクロカレント発生器を美容トリートメント送達シートに対して追加できることが容易に明らかになるであろう。加えて、各マイクロカレント発生器１４は、１種類の皮膚有効成分の送達を促進するために配置することができ、又は、各マイクロカレント発生器１４は、マスク上の複数の皮膚有効成分の送達を促進するために配置することができる。
【００１７】
隔離された個別領域４、６、７、８、１０又は１２のうちの少なくとも１個に、米国特許第８，４２５，４７７号、同第８，３５８，３４８号及び同第８４９１９２６号（その全体が参照により本明細書中にそれぞれ組み入れられる）に記載されるものなどの皮膚分析システムにより作成される皮膚プロファイルに従って、皮膚有効成分（１種類又は複数種類）をインプリントすることができる。
【００１８】
正極１８又は負極２０は、基材２を使用者の処置領域に貼る際に電極１８、２０が使用者の皮膚に直接接触するように、基材２上に配置することができる。
【００１９】
あるいは、生体適合性塩の層を、基材２上に設けることができる。塩は、正極１８又は負極２０の少なくとも一方及び皮膚有効成分３２、３４、３６、３８、４０のうちの１種と接触するであろう。塩は、電気的移動、電気的浸透及び電気的輸送のうちの１種により、皮膚への皮膚有効成分３２、３４、３６、３８、４０の輸送を促進する。
【００２０】
基材２及び皮膚有効成分３２、３４、３６、３８、４０は、水溶性であり得る。
【００２１】
皮膚有効成分は、以下のものからなる群より選択することができる：（１）抗しわ成分又は肌引き締め成分；（２）アンチエイジング成分；（３）保湿成分；（４）皮膚美白成分又は色素脱失成分；（５）抗炎症成分；（６）抗にきび成分；（７）ＤＮＡ修復成分；（８）皮膚の脂質バリア修復成分；（９）抗セルライト成分；（１０）創傷治癒成分；（１１）ストレッチマーク（stretch mark）／傷跡（scar）消去成分；（１２）ふっくら成分（plumping agent）；（１３）むだ毛成長遅延成分（hair growth retardation agent）；（１３）育毛刺激成分；（１４）クマ減少成分（dark cycle reduction agent）又は浮腫解消成分（de-puffing agent）；（１５）コラーゲン合成又は血流促進成分；（１６）抗酸化成分；（１７）皮脂コントロール成分；及び（１８）毛穴収縮成分。
【００２２】
それぞれの隔離された個別領域が、２種類以上の異なる皮膚有効成分を含有することができる。皮膚有効成分は、好ましくは、互いに混ざり合うことなく、分離した液滴として基材２の上にインプリントされる。
【００２３】
マイクロカレント発生器は、マイクロプロセッサ４２をさらに含むことができる。マイクロプロセッサは好ましくは、例えば処置サイクルの、電流量、電流密度プロファイル及びタイミングなどの電流送達仕様を選択的に制御するためにプログラム可能である。マイクロカレント送達発生器は、最高の皮膚送達動作を生じさせるべく、電流密度と目的の皮膚有効成分との最も好ましい組み合わせをつくり出すために、搭載マイクロプロセッサを用いて調整することができる。例えば、より大きな分子量の皮膚有効成分は、より小さい分子量の成分と比較して高い電流密度を必要とする。美容トリートメント送達シートは、皮膚有効成分の同様にプリントされた組成を有することができるが、皮膚有効成分送達の量及び有効性を変化させるための異なるマイクロカレント量若しくは密度又はタイミングを生じさせるために、マイクロプロセッサをプログラミングすることにより、送達を改変又は強化することができる。
【００２４】
ここで、図２を参照すると、第１及び第２の基材を有する美容トリートメント送達シート１の第２の実施形態が示されている。トリートメント送達シート１の分解模式図が、図２に示されている。第１のシート基材２は、使用者の皮膚の所定の処置領域に合うように配置及び構成される。第１のシート基材２上には、第１の皮膚状態を処置するための第１の皮膚有効成分３２をインプリントされた少なくとも第１の隔離された個別領域４が規定されている。第１の隔離された個別領域４は、使用者の皮膚の所定の処置領域中の第１の皮膚状態の第１の個別配置に対応する第１の位置にて、第１のシート基材２上にインプリントされる。第２の隔離された個別領域６は、Ｔゾーンの額部分に、第２の皮膚状態を処置するための第２の皮膚有効成分３４をインプリントされる。第２の隔離された個別領域６は、使用者の皮膚の所定の処置領域中の第２の皮膚状態の第２の個別配置に対応する第２の位置にて、第１のシート基材２上に、同様にインプリントされる。第１のシート基材２は、Ｔゾーンの鼻部分７、目の下の領域８、「しわ」（frown-line）領域１０及び顎先領域１２に図示される追加の隔離された個別領域を有する。追加の皮膚有効成分が、それぞれ、目の下の領域、顎先領域及びしわ領域中の参照番号３６、３８及び４０にて模式的に示される。
【００２５】
第２のシート基材４４は、第１のシート基材２に対応した形状及び配置として提供される。あるいは、第２のシート基材４４は、マイクロカレント送達支持シートと称される場合がある。美容トリートメント送達シート１を形成するために、第１のシート基材２が第２のシート基材４４に固定され、それにより、第１の基材シート２上の隔離された個別領域は、第２のシート基材４４上のそれらの領域の対応する破線による描写と整列する。マイクロカレント発生器１４は、第２のシート基材４４に固定される。マイクロカレント発生器は、正回路レグ２２により正極１８に接続される電源１６を有する。電源１６は、負回路レグ２４により負極２０に接続される。正極１８及び負極２０は、イオントフォレシスにより第１の皮膚有効成分３２及び第２の皮膚有効成分３４のうちの少なくとも一方の送達を促進するのに十分な量で、所定の処置領域中にて使用者の皮膚にマイクロカレントを送達することができるように、第２のシート基材４４上に配置される。一定量のマイクロカレントが、好ましくは、第１のシート基材２の隔離された個別領域のうちの少なくとも１個、例えば、第１の隔離された個別領域４又は第２の隔離された個別領域６などを通して送達される。正極１８及び負極２０からのマイクロカレント送達のおおよその領域が、それぞれ、破線による円（bubble）２６及び２８により模式的に図示される。矢印３０は、送達シートが活性化された後に生じるであろう正極１８と負極２０との間の一定量のマイクロカレントのおおよその流れを示す。
【００２６】
第１の隔離された個別領域４及び第２の隔離された個別領域６のうちの少なくとも１個を、米国特許第８，３５８，３４８Ｂ２号（参照により本明細書中に組み入れられる）に記載される通りの皮膚分析システムにより作成される皮膚プロファイルに従ってインプリントすることができる。
【００２７】
正極１８及び／又は負極２０は、美容トリートメント送達シート１、すなわち第１のシート基材２及びそれに取り付けられた第２のシート基材４４を所定の処置領域に貼る際に、一方又は両方の電極が使用者の皮膚に直接接触するように、第２のシート基材４４上に配置することができる。
【００２８】
生体適合性塩の層を、第１のシート基材２又は第２のシート基材４４上に設けることができる。生体適合性塩の層は、正極１８及び負極２０のうちの少なくとも一方、並びに皮膚有効成分３２、３４、３６、３８又は４０のうちの対応する１種と接触するように、設けることができる。塩は、電気的移動、電気的浸透及び電気的輸送のうちの１種により、皮膚への皮膚有効成分のうちの対応する１種の輸送を促進するように、選択及び提供される。
【００２９】
第１のシート基材２、皮膚有効成分３２、３４、３６、３８及び４０のうちの少なくとも１つが、水溶性であり得る。あるいは、基材２は水不溶性であり得る。１個のマイクロカレント発生器又は複数のマイクロカレント発生器を支持する第２のシート基材は、例えば、各使用後に新たに皮膚有効成分が供給された新しい第１のシート基材をその上に固定することができる水不溶性材料を用いて作製することにより、再利用可能とすることができる。第２のシート基材は、メモリーフォームを用いて作製するか、又は皮膚有効成分を含む第１のシート基材がその上に固定されるメモリーフォームマスクを含むことができる。そのようなメモリーフォームマスクは、ＴｅｃｈＮａｔｕｒｅ社から市販されている。このようにすると、複雑な、カスタム可能なスキンケア用トリートメントが、内蔵型マイクロカレント技術を用いるカスタム可能又はプログラム可能な送達を伴って、基材上にスキンケア美容成分をプリントすることにより、作製できる。
【００３０】
マイクロカレント技術とは、好ましくは、電流密度プロファイル及びタイミングに対する追加の制御のためのマイクロプロセッサを含むか若しくは含まない、薄膜型バッテリー又は電源により電力供給されるシート／マスク／パッチである。
【００３１】
皮膚有効成分は、以下のものからなる群より選択される：（１）抗しわ成分又は肌引き締め成分；（２）アンチエイジング成分；（３）保湿成分；（４）皮膚美白成分又は色素脱失成分；（５）抗炎症成分；（６）抗にきび成分；（７）ＤＮＡ修復成分；（８）皮膚の脂質バリア修復成分；（９）抗セルライト成分；（１０）創傷治癒成分；（１１）ストレッチマーク（stretch mark）／傷跡（scar）消去成分；（１２）ふっくら成分（plumping agent）；（１３）むだ毛成長遅延成分（hair growth retardation agent）；（１３）育毛刺激成分；（１４）クマ減少成分（dark cycle reduction agent）又は浮腫解消成分（de-puffing agent）；（１５）コラーゲン合成又は血流促進成分；（１６）抗酸化成分；（１７）皮脂コントロール成分；及び（１８）毛穴収縮成分。皮膚有効成分は、荷電されているか又は中性であることができる。
【００３２】
それぞれの隔離された個別領域が、２種類以上の異なる皮膚有効成分を含有することができる。異なる皮膚有効成分は、互いに混ざり合うことなく、分離した液滴として第１のシート基材の上にインプリントすることができる。
【００３３】
マイクロカレント発生器１４は、それぞれの隔離された個別領域に対して提供することができる。例えば、マイクロカレント発生器は、目尻のしわの領域４、Ｔゾーンの額部分６、Ｔゾーンの鼻部分７、目の下の領域、しわ（frown line）領域又は顎先領域のうちの１箇所以上に提供することができる。
【００３４】
各マイクロカレント発生器１４は、マイクロプロセッサ４２をさらに含むことができる。マイクロプロセッサは、好ましくは、電流密度プロファイル及びタイミングのうちの少なくとも一方を選択的に制御するために、公知の手段によりプログラム可能である。
【００３５】
図３及び４は、Ｔゾーンを特異的に対象とするシート又はパッチの形態での、美容トリートメント送達シートの第３の実施形態を示す。図３は、Ｔゾーン用美容トリートメント送達シートの分解模式図であり、図４は、組み立てられたＴゾーン用美容トリートメント送達シート１０１を示す。第１のシート基材１０２は、Ｔゾーンにある使用者の皮膚の所定の処置領域に合うように配置及び構成されている。第１のシート基材１０２上には、第１の皮膚状態を処置するための皮膚有効成分３４をインプリントされた少なくとも第１の隔離された個別領域１０６が規定されている。第１の隔離された個別領域１０６は、使用者の皮膚の所定の処置領域（すなわち、Ｔゾーンの額部分）中の第１の皮膚状態の第１の個別配置に対応する第１の位置にて、第１のシート基材１０２上にインプリントされる。第２の隔離された個別領域１０７は、第２の皮膚状態を処置するための皮膚有効成分３４をインプリントされる。第２の隔離された個別領域１０７は、使用者の皮膚の所定の処置領域（すなわち、Ｔゾーンの鼻部分）中の第２の皮膚状態の第２の個別配置に対応する第２の位置にて、第１のシート基材２０２上にインプリントされる。
【００３６】
第２のシート基材１４４は、第１のシート基材１０２に概ね対応した形状及び配置として提供される。図４に示される美容トリートメント送達シート１０１を形成するために、第１のシート基材１０２が第２のシート基材１４４に固定され、それにより、第１の基材シート１０２上の隔離された個別領域は、第２のシート基材１４４上のそれらの領域の対応する破線による描写と整列する。マイクロカレント発生器１１４は、第２のシート基材１４４に固定される。マイクロカレント発生器は、正回路レグ１２２により正極１１８に接続される電源１１６を有する。電源１１６は、負回路レグ１２４により負極１２０に接続される。正極１１８及び負極１２０は、イオントフォレシスにより皮膚有効成分３４の送達を促進するのに十分な量で、所定の処置領域中にて使用者の皮膚にマイクロカレントを送達することができるように、第２のシート基材１４４上に配置される。一定量のマイクロカレントが、好ましくは、正の送達領域１２６及び負の送達領域１２８を介して、第１のシート基材１０２の隔離された個別領域のうちの少なくとも１個、例えば、隔離された個別領域１０６又は隔離された個別領域１０７などを通して送達される。マイクロカレント発生器１１４は、マイクロプロセッサ１４２をさらに含むことができる。マイクロプロセッサは、好ましくは、電流密度プロファイル及びタイミングのうちの少なくとも一方を選択的に制御するために、公知の手段によりプログラム可能である。第１の隔離された個別領域１０６及び第２の隔離された個別領域１０７のうちの少なくとも１個を、例えば、米国特許第８，３５８，３４８Ｂ２号（参照により本明細書中に組み入れられる）に記載される通りの皮膚分析システムにより作成される皮膚プロファイルに従ってインプリントすることができる。正極１１８及び／又は負極１２０は、美容トリートメント送達シート１０１、すなわち第１のシート基材１０２及びそれに取り付けられた第２のシート基材１４４を所定の処置領域に貼る際に、一方又は両方の電極が使用者の皮膚に直接接触するように、第２のシート基材１４４上に配置することができる。生体適合性塩の層を、第１のシート基材１０２又は第２のシート基材１４４上に設けることができる。生体適合性塩の層は、正極１１８及び負極１２０のうちの少なくとも一方、並びに皮膚有効成分３４と接触するように、設けることができる。塩は、電気的移動、電気的浸透及び電気的輸送のうちの１種により、皮膚への対応する皮膚有効成分の１種の輸送を促進するように、選択及び提供される。第１のシート基材１０２及び皮膚有効成分３４のうちの少なくとも１種が水溶性であり得る。皮膚有効成分は、以下のものからなる群より選択される：（１）抗しわ成分又は肌引き締め成分；（２）アンチエイジング成分；（３）保湿成分；（４）皮膚美白成分又は色素脱失成分；（５）抗炎症成分；（６）抗にきび成分；（７）ＤＮＡ修復成分；（８）皮膚の脂質バリア修復成分；（９）抗セルライト成分；（１０）創傷治癒成分；（１１）ストレッチマーク（stretch mark）／傷跡（scar）消去成分；（１２）ふっくら成分（plumping agent）；（１３）むだ毛成長遅延成分（hair growth retardation agent）；（１３）育毛刺激成分���（１４）クマ減少成分（dark cycle reduction agent）又は浮腫解消成分（de-puffing agent）；（１５）コラーゲン合成又は血流促進成分；（１６）抗酸化成分；（１７）皮脂コントロール成分；及び（１８）毛穴収縮成分。
【００３７】
図５及び６は、目尻のしわ（crow's foot）ゾーン及び目の下ゾーンを特異的に対象とするシート又はパッチの形態での、美容トリートメント送達シートの第４の実施形態を示す。図５は、目尻のしわ／目の下用美容トリートメント送達シートの分解模式図であり、図６は、組み立てられた目尻のしわゾーン及び目の下ゾーン用美容トリートメント送達シート２０１を示す。分離した部分２０２ａ及び２０２ｂとして図示される第１のシート基材２０２は、Ｔゾーンにある使用者の皮膚の所定の処置領域に適合させるために配置及び構成されている。第１のシート基材２０２上には、第１の皮膚状態を処置するための皮膚有効成分３２をインプリントされた少なくとも第１の隔離された個別領域２０４が規定されている。第１の隔離された個別領域２０４は、使用者の皮膚の所定の処置領域（すなわち、目尻のしわゾーン）中の第１の皮膚状態の第１の個別配置に対応する第１の位置にて、第１のシート基材２０２上にインプリントされる。第２の隔離された個別領域２０８は、第２の皮膚状態を処置するための皮膚有効成分３６をインプリントされる。第２の隔離された個別領域２０８は、使用者の皮膚の所定の処置領域（すなわち目の下ゾーン）中の第２の皮膚状態の第２の個別配置に対応する第２の位置にて、第１のシート基材２０２上にインプリントされる。
【００３８】
第２のシート基材２４４は、第１のシート基材２０２に概ね対応した形状及び配置として提供される。図６に示される美容トリートメント送達シート２０１を形成するために、第１のシート基材２０２が第２のシート基材２４４に固定され、それにより、第１の基材シート２０２上の隔離された個別領域は、第２のシート基材２４４上のそれらの領域の対応する破線による描写と整列する。マイクロカレント発生器２１４は、第２のシート基材２４４に固定される。マイクロカレント発生器は、正回路レグ２２２により正極２１８に接続される電源２１６を有する。電源２１６は、負回路レグ２２４により負極２２０に接続される。正極２１８及び負極２２０は、イオントフォレシスにより皮膚有効成分３２及び／又は皮膚有効成分３６の送達を促進するのに十分な量で、所定の処置領域中にて使用者の皮膚にマイクロカレントを送達することができるように、第２のシート基材２４４上に配置される。一定量のマイクロカレントが、好ましくは、正の送達領域２２６及び負の送達領域２２８を介して、第１のシート基材２０２の隔離された個別領域のうちの少なくとも１個、すなわち、隔離された個別領域２０４又は隔離された個別領域２０８などを通して送達される。マイクロカレント発生器２１４は、マイクロプロセッサ２４２をさらに含むことができる。マイクロプロセッサは、好ましくは、電流密度プロファイル及びタイミングのうちの少なくとも一方を選択的に制御するために、公知の手段によりプログラム可能である。第１の隔離された個別領域２０４及び第２の隔離された個別領域２０８のうちの少なくとも１個を、例えば、米国特許第８，３５８，３４８Ｂ２号（参照により本明細書中に組み入れられる）に記載されるものなどの皮膚分析システムにより作成される皮膚プロファイルに従ってインプリントすることができる。正極２１８及び／又は負極２２０は、美容トリートメント送達シート２０１、すなわち第１のシート基材２０２及びそれに取り付けられた第２のシート基材２４４を所定の処置領域に貼る際に、一方又は両方の電極が使用者の皮膚に直接接触するように、第２のシート基材２４４上に配置することができる。生体適合性塩の層を、第１のシート基材２０２又は第２のシート基材２４４上に設けることができる。生体適合性塩の層は、正極２１８及び負極２２０のうちの少なくとも一方、並びに皮膚有効成分３２、３６と接触するように、設けることができる。塩は、電気的移動、電気的浸透及び電気的輸送のうちの１種により、皮膚への対応する皮膚有効成分の１種の輸送を促進するように、選択及び提供される。第１のシート基材２０２及び皮膚有効成分３２、３６のうちの少なくとも１つが水溶性であり得る。皮膚有効成分３２、３６は、以下のものからなる群より選択することができる：（１）抗しわ成分又は肌引き締め成分；（２）アンチエイジング成分；（３）保湿成分；（４）皮膚美白成分又は色素脱失成分；（５）抗炎症成分；（６）抗にきび成分；（７）ＤＮＡ修復成分；（８）皮膚の脂質バリア修復成分；（９）抗セルライト成分；（１０）創傷治癒成分；（１１）ストレッチマーク（stretch mark）／傷跡（scar）消去成分；（１２）ふっくら成分（plumping agent）；（１３）むだ毛成長遅延成分（hair growth retardation agent）；（１３）育毛刺激成分；（１４）クマ減少成分（dark cycle reduction agent）又は浮腫解消成分（de-puffing agent）；（１５）コラーゲン合成又は血流促進成分；（１６）抗酸化成分；（１７）皮脂コントロール成分；及び（１８）毛穴収縮成分。
【００３９】
電源は、一般的には、バッテリー、コンデンサー、太陽電池、配電網への接続、又はいずれかの他の好適なマイクロカレント電力の供給源の形態を採ることができる。
【００４０】
あるいは、図７〜１１に示される通り、マイクロカレント発生器３１４のための電源３１６は、発生器３１６からのマイクロカレントの流れを引き起こすように構成された、酸化還元反応のための構成要素、すなわち、酸化剤４６、還元剤４８及び塩含有ヒドロゲル５０を含むことができる。この電源３１６はプリントされた電気化学電池であり、これは、本明細書中では代わりに「インプリントバッテリー」と称される。図７を参照すると、インプリントバッテリーは、第２のシート基材３４４上に、互いに隣接する異なるスポットに自発的酸化還元剤を含む導電性電極コンタクトポイントをプリントするステップ、第２のシート基材３４４を、皮膚有効成分３２（及び／又はその他）を有する第１のシート基材３０２に固定するステップ、及び組み合わせたシート基材を、適切な媒体（塩含有ヒドロゲル）を用いて処置領域に貼ることにより、皮膚上でマイクロカレントを引き起こすステップにより、作製することができる。皮膚有効成分及び電気化学電池の両方が、個々の使用者の様々なニーズに基づいて、既存のプリント技術を用いてカスタム化及びプリントすることができる。この電気化学電池（ガルバニ電池）型の、パッチ又はマスクの形態での美容トリートメント送達シートは、還元剤と酸化剤との自発的酸化還元反応により、皮膚有効成分の送達を強化するためにマイクロカレントを生じさせる。美容トリートメント送達シートは、シート上の皮膚有効成分をカスタム化することにより、又はマイクロカレント場をカスタム化することにより、カスタム化することができる。例えば、皮膚分析システムにより作成された皮膚プロファイルに従い、すなわち、個別のニーズ及び皮膚の懸念事項の位置に基づいて、皮膚有効成分をカスタム化することができる。各皮膚有効成分は、ドット／インチの沈着密度で、かつ他の皮膚有効成分との種々の組み合わせで、様々な位置にてプリンターにより沈着させるようにプログラムできる。マイクロカレントは、送達されるマイクロカレントの強度を変化させてそれにより個別の皮膚処置のニーズに合致させるために、２種類の皮膚有効成分の間の量比又は重量比で、かつ隔離距離を有して、例えば、銀又は亜鉛などの還元剤及び酸化剤を選択することにより、カスタム化することができる。
【００４１】
より詳細には、図７に示される第５の実施形態は、使用者の皮膚の所定の処置領域に合うように配置及び構成される第１のシート基材３０２（原寸比でない）を有する。第１のシート基材３０２上には、第１の皮膚状態を処置するための第１の皮膚有効成分３２をインプリントされた少なくとも第１の隔離された個別領域３０４が規定されている。第１の隔離された個別領域３０４は、使用者の皮膚の所定の処置領域中の第１の皮膚状態の第１の個別配置に対応する第１の位置にて、第１のシート基材３０２上にインプリントされる。第２の隔離された個別領域３０６は、Ｔゾーンの額部分に、第２の皮膚状態を処置するための第２の皮膚有効成分３４をインプリントされる。第２の隔離された個別領域３０６は、使用者の皮膚の所定の処置領域中の第２の皮膚状態の第２の個別配置に対応する第２の位置にて、第１のシート基材３０２上にインプリントされる。第１のシート基材３０２は、Ｔゾーンの鼻部分３０７、目の下の領域３０８、「しわ」（frown-line）領域３１０及び顎先領域３１２に図示される追加の隔離された個別領域を有する。追加の皮膚有効成分が、それぞれ、目の下の領域３０８、顎先領域３１２及びしわ領域３１０中の参照番号３６、３８及び４０にて模式的に示されている。
【００４２】
第２のシート基材３４４は、第１のシート基材３０２に対応した形状及び配置として提供される。美容トリートメント送達シート３０１を形成するために、第１のシート基材３０２が第２のシート基材３４４に固定され、それにより、第１の基材シート３０２上の隔離された個別領域は、第２のシート基材３４４上のそれらの領域の対応する破線による描写と整列する。酸化還元反応構成要素の形態、つまり酸化剤４６、還元剤４８及びヒドロゲル５０の形態でのマイクロカレント発生器３１４は、第２のシート基材３４４にプリントされるか、又はそれ以外の様式により固定される。破線により図７に示される通り、ヒドロゲルの適用は、種々の隔離された個別領域３０４、３０６、３０８、３１０、３１２（例えば、目尻のしわ、Ｔゾーン、目の下の領域、顎先領域など）のサイズ、形状及び面積に非常に近くなる。ヒドロゲル５０がマイクロカレントを発生させるための酸化還元反応を引き起こす酸化剤４６と還元剤４８との酸化還元反応を生じさせるために構成されるので、ヒドロゲル５０は、美容送達シート３０１に、又はシート３０１の適用直前に使用者の皮膚に適用するために別々に提供されることができる。ヒドロゲルは、酸化剤及び還元剤に近接するか、又はそれらと接触して適用することができる。あるいは、ヒドロゲル５０を、例えば、水又は別の好適な溶媒を用いて湿らせたときに活性化される不活性化形態で提供することができる。ヒドロゲル５０による活性化時に、酸化剤４６及び還元剤４８、又は複数の酸化剤４６及び対応する還元剤４８が、酸化還元反応を介して一定量のマイクロカレントを生成する。酸化剤４６及び還元剤４８、又は複数の酸化剤４６及び対応する還元剤４８は、生成されるマイクロカレントを、イオントフォレシスにより第１の皮膚有効成分３２、３４、３６、３８又は４０のうちの少なくとも１種の送達を促進するのに十分な量で所定の処置領域中で使用者の皮膚に送達することができるように、第２のシート基材３４４上に配置される。一定量のマイクロカレントは、好ましくは、第１のシート基材３０２の隔離された個別領域のうちの少なくとも１個、例えば、隔離された個別領域３０４、３０６、３０８、３１０、３１２などを通して送達される。
【００４３】
美容トリートメント送達シート３０１は、皮膚分析システムにより作成された皮膚プロファイルに従った１種以上の皮膚有効成分を含んで提供することができる。
【００４４】
美容トリートメント送達シート３０１は、マイクロカレント発生器酸化還元系と接触して基材上に設けられた生体適合性塩の層を含むことができる。塩は、電気的移動、電気的浸透及び電気的輸送のうちの１種により、皮膚への一定量のマイクロカレントの輸送を促進するのに適している。
【００４５】
美容トリートメント送達シート３０１のための皮膚有効成分は、以下のものからなる群より選択することができる：（１）抗しわ成分又は肌引き締め成分；（２）アンチエイジング成分；（３）保湿成分；（４）皮膚美白成分又は色素脱失成分；（５）抗炎症成分；（６）抗にきび成分；（７）ＤＮＡ修復成分；（８）皮膚の脂質バリア修復成分；（９）抗セルライト成分；（１０）創傷治癒成分；（１１）ストレッチマーク（stretch mark）／傷跡（scar）消去成分；（１２）ふっくら成分（plumping agent）；（１３）むだ毛成長遅延成分（hair growth retardation agent）；（１３）育毛刺激成分；（１４）クマ減少成分（dark cycle reduction agent）又は浮腫解消成分（de-puffing agent）；（１５）コラーゲン合成又は血流促進成分；（１６）抗酸化成分；（１７）皮脂コントロール成分；及び（１８）毛穴収縮成分。異なる皮膚有効成分を、互いに混ざり合うことなく、分離した液滴として第１のシート基材３０２の上にインプリントすることができる。
【００４６】
第１のシート基材３０２、第２のシート基材３４４、皮膚有効成分３３２、３３４、３３６、３３８、３４０並びに酸化還元反応構成要素である酸化剤４６、還元剤４８及びヒドロゲル５０は、すべて水溶性であり得る。したがって、酸化還元反応構成要素４６、４８、５０を用いて美容送達シート３０１に電力供給することの１つの利点は、システム全体及びその構成要素のすべてが水溶性であり得ることである。これは、皮膚有効成分が皮膚へと効率的に吸収された後に、マスク全体をすすぎ落とすことができるので、消費者にとってはさらに好ましい実施形態であり得る。
【００４７】
図８及び９は、マイクロカレントのために酸化還元反応系を用い、かつＴゾーンを特異的に対象とするシート又はパッチの形態での、美容トリートメント送達シートの第６の実施形態４０１を示す。第６の実施形態４０１は、第５の実施形態３０１に関して上記された通りに機能する。図８は、Ｔゾーン用美容トリートメント送達シートの分解模式図であり、図９は、組み立てられたＴゾーン用美容トリートメント送達シート４０１を示す。第１のシート基材４０２は、Ｔゾーンにある使用者の皮膚の所定の処置領域に合うように配置及び構成されている。第１のシート基材４０２上には、第１の皮膚状態を処置するための皮膚有効成分３４をインプリントされた少なくとも第１の隔離された個別領域４０６が規定されている。第１の隔離された個別領域４０６は、使用者の皮膚の所定の処置領域（すなわち、Ｔゾーンの額部分）中の第１の皮膚状態の第１の個別配置に対応する第１の位置にて、第１のシート基材４０２上にインプリントされる。第２の隔離された個別領域４０７は、第２の皮膚状態を処置するための同じ皮膚有効成分３４をインプリントされる。第２の隔離された個別領域４０７は、使用者の皮膚の所定の処置領域（すなわち、Ｔゾーンの鼻部分）中の第２の皮膚状態の第２の個別配置に対応する第２の位置にて、第１のシート基材４０２上にインプリントされる。
【００４８】
第２のシート基材４４４は、第１のシート基材４０２に概ね対応した形状及び配置として提供される。図９に示される美容トリートメント送達シート４０１を形成するために、第１のシート基材４０２が第２のシート基材４４４に固定され、それにより、第１の基材シート４０２上の隔離された個別領域は、第２のシート基材４４４と整列する。酸化還元反応構成要素の形態、つまり酸化剤４６、還元剤４８及びヒドロゲル５０の形態でのマイクロカレント発生器４１４は、第２のシート基材４４４にプリントされるか、又はそれ以外の様式により固定される。ヒドロゲル５０による活性化時に、酸化剤４６及び還元剤４８、又は複数の酸化剤４６及び対応する還元剤４８が、酸化還元反応を介して一定量のマイクロカレントを生成する。酸化剤４６及び還元剤４８、又は複数の酸化剤４６及び対応する還元剤４８は、生成されるマイクロカレントを、イオントフォレシスにより皮膚有効成分３２、３４、３６、３８又は４０のうちの少なくとも１種の送達を促進するのに十分な量で、所定の処置領域にて使用者の皮膚に送達することができるように、第２のシート基材４４４上に配置される。一定量のマイクロカレントは、好ましくは、第１のシート基材４０２の隔離された個別領域のうちの少なくとも１個、例えば、隔離された個別領域３０６又は３０７を通して送達される。第６の実施形態４０１は第５の実施形態３０１に関して上記された通りに機能し、かつ上記の追加の任意的な特徴を含むことができ、例えば、実施形態４０１は水溶性であり得、皮膚プロファイルに従った皮膚有効成分を有することができ、生体適合性塩等を有することができる。
【００４９】
図１０及び１１は、マイクロカレントのために酸化還元反応系を用い、かつ目尻のしわゾーン及び目の下ゾーンを特異的に対象とするシート又はパッチの形態での、美容トリートメント送達シートの第７の実施形態５０１を示す。第７の実施形態５０１は、第５の実施形態３０１に関して上記された通りに機能する。図１０は、目尻のしわゾーン及び目の下ゾーン用美容トリートメント送達シートの分解模式図であり、図９は、組み立てられた目尻のしわゾーン及び目の下ゾーン用美容トリートメント送達シート５０１を示す。５０２ａ及び５０２ｂの２つの部分として描かれている第１のシート基材５０２は、それぞれ、目尻のしわゾーン及び目の下ゾーンにある使用者の皮膚の所定の処置領域に合うように配置及び構成されている。第１のシート基材５０２上には、第１の皮膚状態を処置するための皮膚有効成分３２をインプリントされた少なくとも第１の隔離された個別領域５０４が規定されている。第１の隔離された個別領域５０４は、使用者の皮膚の所定の処置領域（すなわち、Ｔゾーンの額部分）中の第１の皮膚状態の第１の個別配置に対応する第１の位置にて、第１のシート基材５０２上にインプリントされる。第２の隔離された個別領域５０８は、第２の皮膚状態を処置するための皮膚有効成分３６をインプリントされる。第２の隔離された個別領域５０８は、使用者の皮膚の所定の処置領域（すなわち、Ｔゾーンの鼻部分）中の第２の皮膚状態の第２の個別配置に対応する第２の位置にて、第１のシート基材５０２上にインプリントされる。
【００５０】
第２のシート基材５４４は、第１のシート基材５０２、部分５０２ａ及び５０２ｂに概ね対応した形状及び配置として提供される。図９に示される美容トリートメント送達シート５０１を形成するために、部分５０２ａ及び５０２ｂを含む第１のシート基材５０２が第２のシート基材５４４に固定され、それにより、第１の基材シート５０２上の隔離された個別領域は、第２のシート基材５４４と整列する。酸化還元反応構成要素の形態、つまり酸化剤４６、還元剤４８及びヒドロゲル５０の形態でのマイクロカレント発生器５１４は、第２のシート基材５４４にプリントされるか、又はそれ以外の様式により固定される。ヒドロゲル５０による活性化時に、酸化剤４６及び還元剤４８、又は複数の酸化剤４６及び対応する還元剤４８が、酸化還元反応を介して一定量のマイクロカレントを生成する。酸化剤４６及び還元剤４８、又は複数の酸化剤４６及び対応する還元剤４８は、生成されるマイクロカレントを、イオントフォレシスにより皮膚有効成分３２、３６のうちの少なくとも１種の送達を促進するのに十分な量で、所定の処置領域にて使用者の皮膚に送達することができるように、第２のシート基材５４４上に配置される。一定量のマイクロカレントは、好ましくは、第１のシート基材５０２の隔離された個別領域のうちの少なくとも１個、例えば、隔離された個別領域５０４又は５０８を通して送達される。第７の実施形態５０１は第５の実施形態３０１に関して上記された通りに機能し、かつ上記の追加の任意的な特徴を含むことができ、例えば、実施形態５０１は水溶性であり得、皮膚プロファイルに従った皮膚有効成分を有することができ、生体適合性塩等を有することができる。
【００５１】
任意により、美容トリートメント送達シート１、１０１、２０１、３０１、４０１又は５０１は、それぞれの隔離された個別領域中に複数の皮膚有効成分を有することができる。このことは、例示の目的で図９及び１１に示されており、ここでは、隔離された個別領域４０６及び５０８の拡大図はそれぞれ、皮膚有効成分３２、３４、３６、３８及び４０を含む。皮膚有効成分は、以下のものからなる群より選択することができる：（１）抗しわ成分又は肌引き締め成分；（２）アンチエイジング成分；（３）保湿成分；（４）皮膚美白成分又は色素脱失成分；（５）抗炎症成分；（６）抗にきび成分；（７）ＤＮＡ修復成分；（８）皮膚の脂質バリア修復成分；（９）抗セルライト成分；（１０）創傷治癒成分；（１１）ストレッチマーク（stretch mark）／傷跡（scar）消去成分；（１２）ふっくら成分（plumping agent）；（１３）むだ毛成長遅延成分（hair growth retardation agent）；（１３）育毛刺激成分；（１４）クマ減少成分（dark cycle reduction agent）又は浮腫解消成分（de-puffing agent）；（１５）コラーゲン合成又は血流促進成分；（１６）抗酸化成分；（１７）皮脂コントロール成分；及び（１８）毛穴収縮成分。異なる皮膚有効成分を、互いに混ざり合うことなく、分離した液滴として第１のシート基材の上にインプリントすることができる。
【００５２】
好適な薄膜型バッテリー又は同様の電源は、電流密度０．１ｍＡ／ｃｍ2及び容量３〜９０ｍＡｈで、１．５ボルト〜３．０ボルトの範囲の量のマイクロカレントを送達するはずである。そのようなバッテリー及び電源は、Ｂｌｕｅ  Ｓｐａｒｋ  Ｔｅｃｈｎｏｌｏｇｙ社、Ｅｎｆｕｃｅｌｌ社及びＰｏｗｅｒ  Ｐａｐｅｒ社などの企業から市販されている。代替電源を用いることができる。これらの代替電源としては、モバイル機器、家電機器、独立型充電式バッテリー、コンデンサー又は太陽光パネル電力発生器などの充電式電源が挙げられる。これらの代替物は、ケーブル又は導電回路（induction circuit）を介してシートに接続される、美容トリートメント送達シートとは別個のユニットであろう。したがって、いかなる形態の美容トリートメント送達シート（すなわち、マスク、パッチ等）でも、再利用可能であり、かつ／又は充電式電源を有し得る。
【００５３】
あるいは、カソード又はアノードのうちの一方を第２のシート基材上にインプリントすることができ、カソード又はアノードのうちの他方を活性化クリーム中に組み込むことができる。したがって、還元剤又は酸化剤のうちの一方のみを第２のシート基材上にインプリントし、還元剤又は酸化剤のうちの他方がヒドロゲルなどの活性化クリームの形態で提供される。クリーム及び基材が皮膚上で組み合わせられたときに、電気化学電池メカニズムが完成し、マイクロカレントが皮膚上で発生する。
【００５４】
また別の選択肢として、二相式製品中に異なる電荷を有する２種類の金属を含有する「バッテリー」クリームを提供することができる。電気化学電池メカニズムは、二相式製品を塗布することにより作製することができる。第１相は還元剤を含有し、かつ第２相は酸化剤を含有する。第１相と第２相のクリームを組み合わせ、皮膚有効成分を含む第１のシート基材（溶解性又は非溶解性のいずれか）と共に顔に塗布した時点で、電気化学電池メカニズムが始動され、第１のシート基材上の皮膚有効成分の送達を強化又は改変するためのマイクロカレントがもたらされる。
【００５５】
上記のシステムは、シート、マスク又はパッチ形態での、それぞれの人物の皮膚の懸念事項及びニーズに基づいた、個々人に合わせたマイクロカレント場を生じさせる。利点は、それぞれの個別の使用者の様々な懸念事項を処置するために、個々人に合わせたスキンケア美容成分及びカスタム化されたイオントフォレシスマイクロカレント域の両方を含むスキンケア処置が実現することである。既存のイオントフォレシスパッチは、一時に皮膚処置のための１種類の成分のみしか送達できない。現行のパッチは、標的化された個別のスキンケアトリートメント、並びにそれぞれの人物の皮膚の懸念事項及びニーズに基づいて個々人に合わせたマイクロカレント場を提供することはできない。対処可能な懸念事項の例は、しわ及び小じわ、クマ、加齢斑、ニキビ、たるみ（sagginess）、肌色の均一性、セルライト、クモ状静脈、リフティング、酒さ、乾燥などである。
【００５６】
上記のことは、溶解性又は非溶解性の基材（第１のシート基材１、１０１、２０１、３０１、４０１、５０１）上に皮膚有効成分をプリントするステップ、及び続いて、基材をマイクロカレント発生器支持シート（第２の基材４４、１４４、２４４、３４４、４４４、５４４）に取り付けるステップにより実現される。あるいは、溶解性又は非溶解性の基材（第１のシート基材１、１０１、２０１、３０１、４０１、５０１）上に皮膚有効成分をプリントするステップ、及び続いて、基材を、充電式バッテリー電源（モバイル機器など）により電力供給されるマイクロカレント発生器を有するメモリーフォームマスクに取り付けるステップにより実現される。マスクは再利用可能である。また別の選択肢として、溶解性又は非溶解性の基材（第１のシート基材１、１０１、２０１、３０１、４０１、５０１）上に皮膚有効成分をプリントするステップ、及び続いて、第１のシート基材上に直接、異なる位置にて電源を有するマイクロカレント発生器をプリントするステップにより実現される。また別の選択肢として、溶解性又は非溶解性の基材（第１のシート基材１、１０１、２０１、３０１、４０１、５０１）上にカソード又はアノードをプリントするステップ、及び続いて、マイクロカレントを活性化するために基材に塗布されるか又は基材と共に適用される活性化クリーム中に、カソード又はアノードのうちの他方を組み込むステップにより実現される。また別の選択肢として、それぞれの相に異なる金属を含む二相式バッテリークリームを準備するステップ、及び２つの相を組み合わせて、マイクロカレントを発生させるために皮膚に塗布するステップにより実現することができる。
【００５７】
以下、第１のシート基材上への皮膚有効成分のプリンティングについて詳述する。使用者特有の皮膚プロファイルに基づいて、複数の皮膚有効成分を使用者の皮膚に対して標的化及び個別化送達するために、コンピュータ式システム又はコンピュータ支援システムを使用することができる。本発明のシステムによって作製された美容送達製品は、要求に応じて、並びに使用者の皮膚プロファイルに従って、複数の皮膚有効成分を複数の標的部又は標的領域に正確な用量及び位置を制御しながら送達することができる。
【００５８】
このようなシステムは、少なくとも、使用者の皮膚の所望の処置領域の画像を取得するための画像形成装置を含むことが好ましい。このような所望の皮膚処置領域は、例えば、顔全体であっても、顔の一部、首、腿などであってもよい。本発明の必須ではないが特に好ましい実施形態では、所望の処置領域は使用者の顔全体である。画像形成装置はデジタルカメラであって、赤外光、近赤外光などの均一で十分な可視光又は不可視光を送出する光源と連動して、所望の処置領域の画像を取得できることが好ましい。画像形成装置は、所望の処置領域を特定するために手動モード又は自動モードのいずれかに設定することができる。
【００５９】
取得された画像は直接、そのような画像形成装置によりデジタルデータに変換され、その中に記憶される、又は、画像形成装置に通信接続されたパーソナルコンピュータ若しくは他のコンピュータ化分析装置に送信される。この分析装置は、画像データを分析し、画像データに基づいて使用者の皮膚の所望の処置領域の状態を示す皮膚プロファイルを作成するようにプログラムされる。皮膚プロファイルが、あるタイプの処置を必要とするある欠点又は懸念を有する皮膚領域を規定することが好ましい。本明細書で使用する「欠点」及び／又は「懸念」という語は、皮膚の乾燥、かさつき、赤み、油っぽさ、毛穴の開き、くすみ、シミ、皮膚の色むら、ニキビ跡、シワ及び小ジワ、目の下のクマ、目の下の腫れぼったさ、セルライトなどのあらゆるタイプの最善と言えない皮膚状態（認識されていてもいなくてもよい）、又はあらゆるタイプの異常な皮膚状態若しくは不調を広く含む。皮膚プロファイルが、皮膚の欠点の重症度も規定することがより好ましい。このような皮膚プロファイルは、さまざまな既知のアルゴリズムを使用して作成することができる。こうしたアルゴリズムの例は、「皮膚表面解析システム及び皮膚表面解析方法(Skin Surface Analysis System and Skin Surface Analysis Method)」という名称の特開平７−２３１８８３、「Systems and Methods for the Multispectral Imaging and Characterization of Skin Tissue」という名称の国際特許出願公開ＷＯ９８／３７８１１、「Apparatus and Method for Monitoring Visually Accessible Surfaces of the Body」という名称の米国特許第５，０１６，１７３号によってより詳細に記載されており、これらの内容の全体が、あらゆる目的のために本明細書に組み込まれる。本発明において皮膚の欠点を診断するために使用できる市販の皮膚画像形成ツールには、例えば、キャンフィールド・サイエンティフィック・インコーポレイティッド(Canfield Scientific, Inc.、ニュージャージー州フェアフィールド)製のＶＩＳＩＡ（登録商標）  Ｃｏｍｐｌｅｘｉｏｎ  Ａｎａｌｙｓｉｓツール、サーマルカメラシステム、レーザドップラ画像形成システム、半透明度測定装置、メラニン・紅斑測定装置、ＣＫエレクトロニック(CK Electronic、ドイツ、ケルン)製のＭｅｘａｍｅｔｅｒ（登録商標）  ＭＸ１８、コニカ・ミノルタ・ビジネス・ソリューションズＵ．Ｓ．Ａ．(Konica Minolta Business Solutions, U.S.A.、ニュージャージー州ラムジー)製のＣＲシリーズＣｈｒｏｍａ  Ｍｅｔｅｒｓ、アストロン・クリニカ・リミテッド(Astron Clinica Ltd.、英国、ケンブリッジ)製のＳＩＡＭＥＴＲＩＣＳ（商標）及びＣＯＳＭＥＴＲＩＣＳ（商標）皮膚可視化及び皮膚測定システムなどが挙げられる。皮膚の欠点の重症度を数値で表す場合、このような数値は、使用者の人種的起源、年齢、居住場所、又はその使用者の皮膚状態に影響を及ぼし得る他の任意の要因に基づいて、標準化することが望ましいことがある。
【００６０】
皮膚プロファイルが作成された後、Ａｄｏｂｅ  Ｐｈｏｔｏｓｈｏｐ  Ｅｌｅｍｅｎｔ  ４．０やＭｉｃｒｏｓｏｆｔ  ＰｏｗｅｒＰｏｉｎｔ  ２００３などの周知の写真編集及びイラストレーションソフトウェアプログラムを用いて、皮膚プロファイルを処理し、プリント装置に出力される画像を作製することができる。このプリント装置は、これに対応して、使用者特有の皮膚状態に基づいて使用者用にカスタマイズされた１つ又は複数の美容送達シートをプリントアウトする。プリント装置は、複数のカートリッジを搭載したプリンタであり、各カートリッジは、１種類以上の皮膚有効成分を含む組成物が充填されていることが好ましい。従来のサーマルインクジェットプリント機構は、インク吐出工程の間、プリントヘッドに高温環境を作り出し、これにより一定の皮膚有効成分を劣化又は不安定化させることがあるので、本発明におけるプリントは、非加熱式プリント機構を使用して実施されることが好ましい。例えば、圧力駆動式インクジェットを使用することができるが、圧力駆動式インクジェットでは、圧電変換器によって要求に応じて圧力が生成され、インクジェットプリントヘッドにおける内部膜の形状が変化し、その結果、インクタンクに含まれる皮膚有効成分の液滴を基材上に沈着させる。本発明の実施に適したプリント装置には、例えば、Ｅｐｓｏｎ  Ｗｏｒｋｆｏｒｃｅシリーズ、好ましくはＥｐｓｏｎ  Ｗｏｒｋｆｏｒｃｅ  ３０、富士フイルムダイマティックス製のＳｐｅｃｔｒａ圧電式プリンタ、ＲＩＳＯ  ＨＣ５５００インクジェットプリンタなどが含まれる。あるいは、送達される皮膚有効成分が熱安定性であるか、熱劣化の影響を比較的受けにくい場合、従来のサーマルインクジェットプリンタ又は低発熱のインクジェットプリンタを本発明の実施に使用することができる。
【００６１】
本発明は、上述の非加熱式プリント処理を使用することにより、複数の皮膚有効成分の送達をその生物学的活性をほとんど又は全く減少させることなく上手く実現している。第一に、非加熱式プリント処理は、皮膚有効成分の劣化をほとんど又は全く生じさせない。第二に、お互いの生物学的活性を妨げることで知られている特定の皮膚有効成分は、別々のカートリッジに配置し、基材上に別々の液滴として沈着させることができる。さらに重要なことは、このような互いに妨げになる皮膚有効成分の液滴は、サイズが十分に小さいので、散在するように配置することができる。したがって、こうした皮膚有効成分が、互いに混ぜ合わされる必要なく、同じ領域に同時に処置を施すことができる。
【００６２】
このようにプリントされた美容送達シート基材は、シート素材のマスク若しくはパッチ又は同様のシステムを介して、顔又は体の皮膚のあらゆる場所の、成分を送達するための所定の領域に使用することができる。美容シートの正確なサイズ及び形状は、意図する用途及び製品の特性によって決まることになる。美容シートは、十分な柔軟性をもち、サイズ及び形状が使用者の皮膚の所望の処置領域に合うように調整される。本発明の必須ではないが特に好ましい実施形態では、美容シートは、顔の特徴に合うように調整された顔用マスクである。本発明では、さまざまな形状及びサイズが提供され得ることが理解されよう。このような美容シートは、必須ではないが好ましくは、糖若しくは多糖類、コラーゲン、水溶性膜形成ポリマーなどの水溶性物質から形成される柔軟な基材を含み得る。基材は、複数の隔離された個別領域を含み、このような領域のうちの少なくとも２つの領域には、使用者の皮膚プロファイルに従って異なる皮膚状態を処置するための異なる皮膚有効成分がインプリントされる。
【００６３】
上述したように、本発明において使用可能な適切な皮膚有効成分には、抗しわ成分又は肌引き締め成分、アンチエイジング成分、保湿成分、皮膚美白成分又は色素脱失成分、抗炎症成分、抗にきび成分、ＤＮＡ修復成分、皮膚の脂質バリア修復成分、抗セルライト成分、創傷治癒成分、ストレッチマーク/傷跡消去成分、ふっくら成分(plumping agents)、むだ毛成長遅延成分(hair growth retardation agents)、育毛刺激成分、クマ減少成分又は浮腫解消成分(de-puffing agents)、コラーゲン合成又は血流促進成分、抗酸化成分、皮脂コントロール成分、及び毛穴収縮成分(pore-minimizing agents)が含まれるが、これに限定されるものではない。抗しわ成分の例には、アセチルヘキサペプチド−８、パルミトイルオリゴペプチド、ジペプチドジアミノブチロイル、ベンジルアミドジアセテートなどが含まれるが、これに限定されるものではない。肌引き締め成分の例には、緑藻エキス、プルラン、スイートアーモンド種子エキス、カルボマー、パルミトイルオリゴペプチド、パルミトイルテトラペプチド−７、コルクガシ（Quercus suber）エキスなどが含まれるが、これに限定されるものではない。アンチエイジング成分の例には、テプレノン、レスベラトロール三リン酸三ナトリウム、虎杖（Polygonum cuspidatuas）根エキス、ホエイタンパクなどが含まれるが、これに限定されるものではない。保湿成分の例には、ヒアルロン酸、グリセリン、尿素、トレハロースなどが含まれるが、これに限定されるものではない。皮膚美白成分又は色素脱失成分の例には、アスコルビン酸、リン酸アスコルビルマグネシウム、リン酸アスコルビルアミノプロピル、マルベリー根エキス、オウゴン（Scutellaria baicalensis）エキス、ブドウエキス、フェルラ酸、ヒノキチオール（hinokitol）などが含まれるが、これに限定されるものではない。抗炎症成分の例には、イワヒバエキス(spike moss extract)、シーウィップエキス、虎杖根エキスなどが含まれるが、これに限定されるものではない。抗にきび成分の例には、サリチル酸、グリコール酸、ラクトビオン酸などが含まれるが、これに限定されるものではない。ＤＮＡ修復成分の例には、テトラヒドロキシシクロヘキサン酸Ｃ１−Ｃ８アルキル、ミクロコッカス溶解液、ビフィズス菌発酵エキスなどが含まれるが、これに限定されるものではない。皮膚の脂質バリア修復成分の例には、フィトスフィンゴシン、リノール酸、コレステロールなどが含まれるが、これに限定されるものではない。抗セルライト成分の例には、コレウス（Coleus forskohlii）根エキス、タイサンボク（Magnolia grandiflora）樹皮エキス、ハス（Nelubo nucifera）葉エキスなどが含まれるが、これに限定されるものではない。創傷治癒成分の例には、ミモザ・テヌイフローラ樹皮エキス、ダイズタンパクなどが含まれるが、これに限定されるものではない。ふっくら成分の例には、サッカロミセス／キシリヌム／紅茶培養物、ハナスゲ（Anermarrhena asphodeloides）根エキス、ヒアルロン酸ナトリウムなどが含まれるが、これに限定されるものではない。むだ毛成長遅延成分の例には、ウルソル酸、フィトスフィンゴシン、ボスウェラ・セラタ樹脂エキスなどが含まれるが、これに限定されるものではない。育毛刺激成分の例には、ソウパルメット（Serenoa serrulata）果実エキス、カンゾウエキ��、アセチルグルコサミンなどが含まれるが、これに限定されるものではない。クマ減少成分又は浮腫解消成分の例には、ヘスペリジンメチルカルコン、ジペプチド−２、チャボトケイソウ（Passiflora incarnate）花エキス、リノール酸、イソリノール酸などが含まれるが、これに限定されるものではない。コラーゲン合成又は血流促進成分の例には、アルギニン、アスコフィルム・ノドスムエキス、アスパラゴプシス・アルマタエキス、カフェインなどが含まれるが、これに限定されるものではない。抗酸化成分の例には、ノルジヒドログアイアレチン酸、ブドウ種子エキス、緑茶葉エキスなどが含まれるが、これに限定されるものではない。
【００６４】
上記皮膚有効成分を本発明のプリント装置に対応するインク配合物へと配合することができる。このようなインク配合物は、水性溶液又は水中油エマルションであり得る。送達される全ての皮膚有効成分が水溶性の場合、インク配合物は水性溶液であることが好ましい。皮膚有効成分のいくつかが油溶性の場合、インク配合物は、連続的な水相中に分散された微粒子化した油滴の形で油相を含む微粒子エマルションであることが好ましい。
【００６５】
使用者の特定の皮膚状態に基づいて、Ｔゾーン領域には、油っぽさを抑えるために、少なくとも１つの皮脂コントロール成分がインプリントされ、使用者の目尻及び口角のそれぞれ目尻シワ領域及び眉間シワ領域には、シワ及び小ジワを抑えるために、少なくとも１種のシワ減少成分又は肌引き締め成分がインプリントされ、目の下の領域には、少なくとも１種のクマ減少成分又は浮腫解消成分がインプリントされ、顎先領域には、少なくとも１種の抗セルライト成分がインプリントされている。もちろん、皮膚プロファイル分析に基づいて、個別領域自体もカスタマイズすることができる。カスタマイズには、サイズ、形状、及び個別領域の数が含まれる。必須ではないが好ましくは、マスク上の異なる領域は、皮膚有効成分が目的とする、顔の異なる特徴と簡単に整列するように、異なる色で印を付けるとよい。
【００６６】
図９及び１１に示されるように、複数の皮膚有効成分を１つの領域にプリントしてもよい。これらの皮膚有効成分は、基材上に別々の液滴として沈着し、互いに混ざり合うことなく、それぞれが散在している。このようにして、こうした皮膚有効成分が、使用者の目尻及び口角に対し、互いに妨げになることが最小であるか、又は全くない状態で同時に処置を施すことができる。
【００６７】
当業者であれば、本発明において使用するのに適したゲル状の美容シートは必然的に粘着性があるが、紙又は布地から成る美容シートは、皮膚への粘着力を高めるため、支持体の第一表面と結合された美容上許容できる粘着層の存在が必要な場合があることが理解されよう。シートの皮膚への粘着は、シートの表面と結合された粘着性化合物を介して生じるものであってもよいし、シートを湿らせることでシートが皮膚に密着するようにする、ゲル、又は水などの液体の形で提供されてもよい。使用者は、あらかじめ湿らせた皮膚にマスクを貼ってもよい。消費者が液体活性剤(liquid activator)をシート又はシートの特定の領域に投入し、それがシートの皮膚への粘着を助けるか、しみ込ませた配合物を活性化するか、又はその両方の機能を果たし得ることも考えられる。美容トリートメント送達シートは、シートを皮膚に貼る前に取り除く、例えば剥がすことができる第３の補助基材シートと共に提供されてもよい。
【００６８】
第１のシート基材２及び／又は第２のシート基材４４などの美容トリートメント送達シートは、フエルト、紙、天然繊維、合成繊維、伸縮性混合素材(elastic blends)、又はこれらの混合物などの織布及び不織布を含む、薄く多孔性で柔軟な吸収材料から形成され得る。これらに限定されないが、例として、綿、リネン、レーヨン、熱可塑性樹脂及びセルロース化合物がある。シート素材は、糖又は多糖類、コラーゲン、及び水溶性膜形成ポリマーなどの水溶性素材であってもよい。シート素材は、例えばアガロース、又はメチルセルロース、ヒドロキシエチルセルロース、ヒドロキシプロピルセルロース、ヒドロキシプロピルメチルセルロース、ヒドロキシプロピルヒドロキシエチルセルロース、ヒドロキシエチルメチルセルロース、エチルセルロース、ヒドロキシエチルエチルセルロース、若しくはカルボキシメチルセルロースを含み得る水溶性低置換度セルロースエーテルで構成される、ヒドロゲルなどのゲルを含んでもよい。コスト、生産性、及び美的感覚の観点から、不織布が特に好ましい。好ましい不織布素材の例には、天然フエルト及び合成フエルト、米で作られた紙又は布、並びに竹布が含まれるが、これに限定されるものではない。本発明の必須ではないが特に好ましい実施形態では、美容シートの基材と皮膚有効成分の両方が、完全に水溶性であり（糖又はコラーゲンなど）、したがって水又は同様の液体活性剤を適用すると、美容シートが柔らかくなって皮膚になじむようになり、続いてシート全体が皮膚表面に吸収され、取り除く必要がない。本発明の実施に適した市販の美容シートには、例えば、コピーケイク(Kopykake、カリフォルニア州トーランス)製の糖ベースのフロスティングシート(Frosting Sheet)、ドクター・ズベラック・スキンアンドヘルスケア株式会社(ドイツ、ビラーベック)製のＭａｔｒｉｃｏｌ(登録商標)コラーゲンシート、及び３Ｍ(商標)  Ｔｒａｎｓｐａｒｅｎｔ  ２．６  ｍｉｌ  Ｐｏｌｙｅｔｈｙｌｅｎｅ  Ｍｅｄｉｃａｌ  Ｔａｐｅ  ９８３０が含まれる。
【実施例１】
【００６９】
カフェインパワーの標的化送達（targeted delivery）
以下の成分を混合してカフェインパワーを含む水性溶液を調製した。
【表１】
2017529935.tif 000002
【００７０】
カフェインパワーがプリントされた領域に印を付けるために、ＦＤ＆ＤブルーＮｏ．１色を使用した。上記水性溶液をＥｐｓｏｎ  Ｗｏｒｋｆｏｒｃｅ  ３０インクジェットプリンタの詰替え可能インクカートリッジの中に入れ、Ｐｈｏｔｏｓｈｏｐ  Ｅｌｅｍｅｎｔ  ４．０をインストールしたパーソナルコンピュータにこのプリンタを接続した。コピーケイク(Kopykake、カリフォルニア州トーランス)製の糖ベースのフロスティングシート、ドクター・ズベラック・スキンアンドヘルスケア株式会社（ドイツ、ビラーベック）製のＭａｔｒｉｃｏｌ（登録商標）コラーゲンシート、及び３Ｍ（商標）  Ｔｒａｎｓｐａｒｅｎｔ  ２．６  ｍｉｌ  Ｐｏｌｙｅｔｈｙｌｅｎｅ  Ｍｅｄｉｃａｌ  Ｔａｐｅ  ９８３０など３種類の異なるタイプの第１のシート基材のシートをＥｐｓｏｎ  Ｗｏｒｋｆｏｒｃｅ  ３０インクジェットプリンタの用紙トレイに入れたところ、インクジェットプリンタによってカフェイン含有水性溶液が基材シート上に順調にプリントされた。第１のシート基材のシートを、第１の基材シート上に直接プリントするか、又はその後第１の基材シートに付着される第２の基材シート上に別個にプリントして、マイクロカレント発生器と共に提供した。続いて、得られる美容トリートメント送達シートを活性化してマイクロカレントを発生させ、皮膚有効成分としてのカフェインの標的化送達の成功について試験した。
【実施例２】
【００７１】
サリチル酸の標的化送達
以下の成分を混合してサリチル酸を含む水性溶液を調製した。
【表２】
2017529935.tif 000003
【００７２】
サリチル酸（ＳＡ）がプリントされた領域に印を付けるために、ＦＤ＆ＤイエローＮｏ．５色を使用した。上記水性溶液をＥｐｓｏｎ  Ｗｏｒｋｆｏｒｃｅ  ３０インクジェットプリンタの詰替え可能インクカートリッジの中に入れ、Ｐｈｏｔｏｓｈｏｐ  Ｅｌｅｍｅｎｔ  ４．０をインストールしたパーソナルコンピュータにこのプリンタを接続した。コピーケイク（Ｋｏｐｙｋａｋｅ、カリフォルニア州トーランス）製の糖ベースのフロスティングシート、ドクター・ズベラック・スキンアンドヘルスケア株式会社（ドイツ、ビラーベック）製のＭａｔｒｉｃｏｌ（登録商標）コラーゲンシート、及び３Ｍ（商標）  Ｔｒａｎｓｐａｒｅｎｔ  ２．６  ｍｉｌ  Ｐｏｌｙｅｔｈｙｌｅｎｅ  Ｍｅｄｉｃａｌ  Ｔａｐｅ  ９８３０など３種類の異なるタイプの基材シートをＥｐｓｏｎ  Ｗｏｒｋｆｏｒｃｅ  ３０インクジェットプリンタの用紙トレイに入れたところ、インクジェットプリンタによってＳＡ含有水性溶液が基材シート上に順調にプリントされた。第１のシート基材のシートを、第１の基材シート上に直接プリントするか、又はその後第１の基材シートに付着される第２の基材シート上に別個にプリントして、マイクロカレント発生器と共に提供した。続いて、得られる美容トリートメント送達シートを活性化してマイクロカレントを発生させ、皮膚有効成分としてのＳＡの標的化送達の成功について試験した。
【００７３】
本発明は、複数の好ましい実施形態に従って説明されてきたが、当業者であれば、さまざまな変更及び修正が、本発明の趣旨及び範囲から逸脱することなく、実施され得ることが理解されよう。
【図１】
2017529935.tif 000004
【図２】
2017529935.tif 000005
【図３】
2017529935.tif 000006
【図４】
2017529935.tif 000007
【図５】
2017529935.tif 000008
【図６】
2017529935.tif 000009
【図７】
2017529935.tif 000010
【図８】
2017529935.tif 000011
【図９】
2017529935.tif 000012
【図１０】
2017529935.tif 000013
【図１１】
2017529935.tif 000014
【国際調査報告】
2017529935.tif 000015
2017529935.tif 000016
2017529935.tif 000017